(57)【要約】【課題】実物の自動連結器と良く似た形状でありながら構造が簡単で、部品点数が少なく、組立が容易な鉄道模型車両の自動連結器を提供する。【解決手段】連結器本体２は、連結器胴４ａの先端部にナックル部４ｂが基端部に係止部４ｃが形成されたナックル部連結器部材４と、連結器胴５ａの先端部に受け部５ｂが基端部に係止部５ｃが形成された受け部連結器部材５からなり、受け部５ｂは連結位置及び解放位置間で変位する。支持部材３は、支持板６ａと、支持板６に立設されて係止部４ｃ，５ｃと係合する支持軸６ｂと、支持軸６ｂの外側に係止部４ｃ，５ｃを囲むように連設されたバネ部６ｃが一体に形成された下部支持部材６と、下部支持部材６に固定されて連結器本体２を挟持する上部支持部材７からなり、連結器本体２と支持部材３との間に車両が曲線部を走行するときに連結器本体２を曲線部に追従させるガイド機構８を設けた。【選択図】図２
2011036539.tif 000002
【特許請求の範囲】
【請求項１】
連結器胴の先端部に上方から見て一側部が開放したフック状のナックル部とこのナックル部の開放部側に配置され開放部閉じ側の連結位置と開放部開き側の解放位置に変位可能な親指状の受け部とを有する連結器本体と、該連結器本体を左右に揺動可能に支持して鉄道模型車両の端部に取り付ける支持部材とからなる鉄道模型車両の自動連結器であって、
前記連結器本体は、ナックル部連結器部材と受け部連結器部材からなり、
前記ナックル部連結器部材は、連結器胴の先端部に前記ナックル部が形成され、基端部に上方から見て略Ｕ字形状をなす係止部が形成され、
前記受け部連結器部材は、連結器胴の先端部に受け部が形成され、基端部に上方から見て略Ｕ字形状をなす係止部が形成され、これらのナックル部連結器部材と受け部連結器部材とが重ねられて相対回動可能とされ、前記受け部を前記連結位置又は解放位置に変位可能とされ、
前記支持部材は、下部支持部材と上部支持部材からなり、
前記下部支持部材は、前記連結器胴の基端部側と係止部を載置する支持板と、該支持板に立設され前記係止部と係合して前記連結器本体を左右に揺動可能に支持する支持軸と、該支持軸の外側に前記係止部を囲繞するように連設され先端部が前記連結器胴の基端部側の両側部を挟持して基準位置への復帰力を付与するバネ部とが一体に形成され、
前記上部支持部材は、前記連結器本体の連結器胴の基端部側と係止部の上部を覆い且つ前記下部支持部材に固定されて前記連結器本体を挟持し、
前記連結器本体と前記支持部材との間に前記支持部材に前記連結器本体を係止すると共に前記車両が曲線部を走行するときに前記連結器本体を前記曲線部に追従させるガイド機構を設けた
ことを特徴とする鉄道模型車両の自動連結器。
【請求項２】
前記連結器本体は、前記連結器胴を上下に分割して上側の連結器胴の先端部に前記ナックル部又は受け部を形成し基端部に前記係止部を形成し、下側の連結器胴の先端部に前記受け部又はナックル部を形成し基端部に前記係止部を形成したことを特徴とする請求項１に記載の鉄道模型車両の自動連結器。
【請求項３】
前記ガイド機構は、前記連結器胴の基端部側の上面又は下面に突設されたガイドピンと、前記上部支持部材又は下部支持部材に前記連結器胴の基端部側から先端部側の左右方向に向って略Ｖ字形状に延出して形成され前記ガイドピンと係合するガイド溝からなり、前記連結器本体が前記支持部材から脱落することを防止すると共に前記車両が前記曲線部を走行するときに前記ガイドピンが前記ガイド溝の前記曲線部の内側に位置する側の溝内を移動して前記連結器本体を前記曲線部に応じて揺動させ且つ前記支持部材から引き出すことを特徴とする請求項１又は請求項２に記載の鉄道模型車両の自動連結器。
【発明の詳細な説明】
【技術分野】
【０００１】
本発明は、鉄道模型車両の自動連結器に関する。
【背景技術】
【０００２】
鉄道模型車両においては、車両同士を連結する連結器としてアーノルド式の連結器を始めとして種々の構造の自動連結式の連結器（自動連結器）が提案されている。
例えば、鉄道模型車両本体に固定された支持ケースに収容されて左右に揺動可能に支持され、上方から見て一側部が開放したフック形状のナックル部の開放部側に親指状の受け部が配置され、常時はコイルバネにより基準位置へ復帰力が与えられていると共に受け部とナックル部が相対的に開放部閉じ側の連結状態位置に付勢され、ナックル部に斜め下方に延出して設けられた金属棒がレール間に設置されたマグネットの磁力によりナックル部の位置する側に引き付けられることで、連結が解放されるように構成した自動連結器、すなわち、連結機能及び連結を解放する機能の両方を有する自動連結器が提案されている（特許文献１参照）。
【先行技術文献】
【特許文献】
【０００３】
【特許文献１】特開２００２−３３１１７７号公報
【発明の概要】
【発明が解決しようとする課題】
【０００４】
連結器は、実物の鉄道車両においても車両本体の大きさに比べて非常に小さい形状をなしており、これに伴い模型の鉄道車両における連結器も非常に小さい形状となる。このため、鉄道模型車両の連結器は、部品点数が少なく、かつ組み立てが容易であることが望ましい。
しかしながら、特許文献１に記載されている自動連結器は、基準位置への復帰力を付与すると共に受け部とナックル部を相対的に開放部閉じ側の連結状態位置に付勢するためのコイルバネや、ナックル部に斜め下方に延出して設けられてレール間に配設されたマグネットの磁力によりナックル部の位置する側に引き付けられる金属棒を備えていることから、構造が複雑であると共に部品点数が多く、その分だけ組み立てが難しいうえ、高価になってしまうという問題がある。
【０００５】
本発明の目的は、実物の自動連結器と良く似た形状でありながら構造が簡単で、部品点数が少なく、その結果、組立が容易で且つ安価な鉄道模型車両の自動連結器を提供することにある。
【課題を解決するための手段】
【０００６】
上述した課題を解決するために、本発明に係る鉄道模型車両の自動連結器は、連結器胴の先端部に上方から見て一側部が開放したフック状のナックル部とこのナックル部の開放部側に配置され開放部閉じ側の連結位置と開放部開き側の解放位置に変位可能な親指状の受け部とを有する連結器本体と、該連結器本体を左右に揺動可能に支持して鉄道模型車両の端部に取り付ける支持部材とからなる鉄道模型車両の自動連結器であって、  前記連結器本体は、ナックル部連結器部材と受け部連結器部材からなり、前記ナックル部連結器部材は、連結器胴の先端部に前記ナックル部が形成され、基端部に上方から見て略Ｕ字形状をなす係止部が形成され、前記受け部連結器部材は、連結器胴の先端部に受け部が形成され、基端部に上方から見て略Ｕ字形状をなす係止部が形成され、これらのナックル部連結器部材と受け部連結器部材とが重ねられて相対回動可能とされ、前記受け部を前記連結位置又は解放位置に変位可能とされ、前記支持部材は、下部支持部材と上部支持部材からなり、前記下部支持部材は、前記連結器胴の基端部側と係止部を載置する支持板と、該支持板に立設され前記係止部と係合して前記連結器本体を左右に揺動可能に支持する支持軸と、該支持軸の外側に前記係止部を囲繞するように連設され先端部が前記連結器胴の基端部側の両側部を挟持して基準位置への復帰力を付与するバネ部とが一体に形成され、前記上部支持部材は、前記連結器本体の連結器胴の基端部側と係止部の上部を覆い且つ前記下部支持部材に固定されて前記連結器本体を挟持し、前記連結器本体と前記支持部材との間に前記支持部材に前記連結器本体を係止すると共に前記車両が曲線部を走行するときに前記連結器本体を前記曲線部に追従させるガイド機構を設けたことを特徴としている。
【０００７】
本発明に係る鉄道模型車両の自動連結器において、連結器胴の先端部にナックル部が形成され、基端部に略Ｕ字形状をなす係止部が形成されたナックル部連結器部材と、連結器胴の先端部に受け部が形成され、基端部に略Ｕ字形状をなす係止部が形成された受け部連結器部材とを重ねて連結器本体を形成する。
この際、ナックル部連結器部材と受け部連結器部材とは、相対回動可能とされていて、受け部は、連結位置又は解放位置に変位可能とされている。
【０００８】
また、本発明に係る鉄道模型車両の自動連結器では、下部支持部材の支持軸とバネ部との間に連結器本体の係止部を収容すると共に、バネ部の両端部の間に連結器胴を収容して支持板に連結器胴の基端部側と係止部を載置し、上部支持部材を被せて下部支持部材に固定する。すなわち、支持部材内に連結器本体を収容する。
ここで、バネ部から常に基準位置に復帰する方向の力が付与されている連結器本体は、車両が曲線部を走行する段階において、ガイド機構によりバネ部からの復帰力に抗して曲線部に応じて揺動して追従するので、車両が曲線部をスムーズに走行し得ることとなり、連結器の姿態の見栄えも良いものとなる。
【０００９】
本発明の請求項２に係る鉄道模型車両の自動連結器において、前記連結器本体は、前記連結器胴を上下に分割して上側の連結器胴の先端部に前記ナックル部又は受け部を形成し、基端部に前記係止部を形成し、下側の連結器胴の先端部に前記受け部又はナックル部を形成し、基端部に前記係止部を形成したことを特徴としている。
このように、連結器胴を上下に分割して、一方の連結器胴の先端部にナックル部を形成すると共に基端部に係止部を形成してナックル部連結器部材を形成し、他方の連結器胴の先端部に受け部を形成すると共に基端部に係止部を形成して受け部連結器部材を形成し、これらの連結器部材同士を重ねて連結器本体を形成することで、連結器本体の構造の簡略化が図られることとなる。
【００１０】
本発明の請求項３に係る鉄道模型車両の自動連結器において、前記ガイド機構は、前記連結器胴の基端部側の上面又は下面に突設されたガイドピンと、前記上部支持部材又は下部支持部材に前記連結器胴の基端部側から先端部側の左右方向に向って略Ｖ字形状に延出して形成され前記ガイドピンと係合するガイド溝からなり、前記連結器本体が前記支持部材から脱落することを防止すると共に前記車両が前記曲線部を走行するときに前記ガイドピンが前記ガイド溝の前記曲線部の内側に位置する側の溝内を移動して前記連結器本体を前記曲線部に応じて揺動させ且つ前記支持部材から引き出すことを特徴としている。
【００１１】
上記連結器本体の連結器胴に突設されたガイドピンを支持部材に設けられたガイド溝に係合させることで、連結器本体の支持部材からの脱落を防いでいる。一方、車両が曲線部を走行する段階では、ガイドピンがガイド溝の曲線部の内側に位置する側の溝内を移動して曲線部に応じて揺動するので、連結器本体は支持部材から引き出され、これにより、車両は、曲率半径の小さい曲線部を円滑に走行し得ると共に、連結された隣接する車両の各端部同士の干渉が阻止されるうえ、連結器の姿態も見栄えが良くなる。
【発明の効果】
【００１２】
本発明の請求項１に係る鉄道模型車両の自動連結器では、上記した構成としているので、実物の自動連結器と良く似た形状でありながら、構造が簡単で且つ部品点数が少なく、その結果、組み立て容易化及びコストの低減を実現することが可能であるという非常に優れた効果がもたらされる。
また、本発明の請求項２に係る鉄道模型車両の自動連結器では、上記した構成としたから、より一層の構造の簡略化を実現でき、本発明の請求項３に係る鉄道模型車両の自動連結器では、上記した構成としたため、請求項１に係る鉄道模型車両の自動連結器の効果に加えて、連結器の姿態の見栄えを良好なものとすることができるという非常に優れた効果がもたらされる。  
【図面の簡単な説明】
【００１３】
【図１】本発明に係る鉄道模型車両の自動連結器の斜視図である。
【図２】図１に示した自動連結器の分解斜視図である。
【図３】図２に示した自動連結器の下部支持部材に連結器本体を組付けた状態の上面図である。
【図４】図１に示した自動連結器の上面図である。
【図５】図１に示した自動連結器の側面図である。
【発明を実施するための形態】
【００１４】
以下、本発明の一実施形態に係る鉄道模型車両の自動連結器を図面に基づいて説明する。
図１に示すように、自動連結器（以下「連結器」という）１は、連結器本体２と、連結器本体２を支持する支持部材３とから主として構成されている。連結器本体２は、ナックル部４ｂを有するナックル部連結器部材４と受け部５ｂを有する受け部連結器部材５とにより形成されており、一方、支持部材３は、下部支持部材６と上部支持部材７とにより形成されている。
【００１５】
連結器本体２のナックル部連結器部材は、図２に示すように、棒状をなす連結器胴４ａの先端部に上方から見て一側部が開放したフック状のナックル部４ｂが形成され、基端部に上方から見て略Ｕ字形状をなす係止部４ｃが形成されている。この係止部４ｃは、連結器胴４ａよりも拡幅されている。また、連結器胴４ａの略中央から係止部４ｃまでの両側部４ｄが上方から見てテーパ状をなして幅狭となるように形成されている。
【００１６】
連結器胴４ａの係止部４ｃとの連設部の上面中央位置にガイドピン４ｅが突設されている。また、連結器胴４ａとナックル部４ｂとの連設部の下面中央位置にストッパピン４ｆが突設されている。
一方、連結器本体２の受け部連結器部材５は、棒状をなす連結器胴５ａの先端部に上方から見てナックル部４ｂの開放部側に親指状の受け部５ｂが形成され、基端部に上方から見て略Ｕ字形状をなす係止部５ｃが形成されている。この係止部５ｃは、連結器胴５ａよりも拡幅されている。また、連結器胴５ａの略中央から係止部５ｃまでの両側部５ｄが上方から見てテーパ状をなして幅狭となるように形成されている。
【００１７】
連結器胴５ａと受け部５ｂとの連設部の上面中央位置にストッパピン４ｆと対応して左右方向（横方向）に長い長穴５ｆが形成されている。この長穴５ｆは、後述するようにストッパピン４ｆと係合してナックル部４ｂに対して受け部５ｂを開放部閉じ側の連結位置と開放部開き側の解放位置との間で変位可能としている。
上記ナックル部連結器部材４の連結器胴４ａ及び係止部４ｃと、受け部連結器部材５の連結器胴５ａ及び係止部５ｃとは、同一の形状とされており、連結器胴５ａ及び係止部５ｃ上に連結器胴４ａ及び係止部４ｃを合致させて重ね合わせることができるように形成されている。
【００１８】
これらのナックル部連結器部材４及び受け部連結器部材５は、プラスチック等の樹脂部材により一体に形成されており、且つ、ナックル部４ｂ及び受け部５ｂは、実車に装備されている自動連結器のナックル部及び受け部と極めて良く似た形状に形成されている。そして、受け部連結器部材５の連結器胴５ａ及び係止部５ｃ上に、ナックル部連結器部材４の連結器胴４ａ及び係止部４ｃを重ね合わせ、ストッパピン４ｆを長穴５ｆに係合させて連結器本体２を形成する。
【００１９】
なお、以後説明を分かり易くするために重ね合わせた連結器胴４ａと５ａ、係止部４ｃと５ｃ、及び側部４ｄと５ｄを、連結器本体２の連結器胴２ａ、係止部２ｃ、及び側部２ｄと称することとする。
すなわち、連結器本体２は、連結器胴を上下に分割して、上側の連結器胴４ａの先端部にナックル部４ｂを形成すると共に基端部に係止部４ｃを形成し、下側の連結器胴５ａの先端部に受け部５ｂを形成すると共に基端部に係止部５ｃを形成して、ナックル部連結器部材４及び受け部連結器部材５を相対的に回動可能とし、且つ、上側の連結器胴４ａの先端部の下面に設けたストッパピン４ｆと、下側の連結器胴５ａの先端部の上面に設けた長穴５ｆとを係合させるようにして形成されている。これにより、ナックル部４ｂに対して受け部５ｂを連結位置又は解放位置に変位可能としている。
【００２０】
下部支持部材６は、連結器本体２の連結器胴２ａの基端部側と係止部２ｃを載置する支持板６ａと、連結器本体２を左右に揺動可能に支持する支持軸６ｂと、連結器本体２を基準位置に復帰させるバネ部６ｃとにより形成されている。
支持軸６ｂは、円筒状をなし支持板６ａの後部側（係止部５ｃを載置する側）の中心位置に立設されており、上端面に係止爪６ｄが周方向に等間隔をなして複数、例えば２本形成されている。この支持軸６ｂは、外周面に連結器本体２の係止部２ｃが摺接して回動可能とされている。また、支持板６ａの前側両側部に上部支持部材７を固定するための孔６ｅが設けられている。
【００２１】
バネ部６ｃは、支持軸６ｂの後部の左右両側から薄板状をなして当該支持軸６ｂを同心的に囲むように対称に延出し、先端部６ｆ，６ｆがくびれて支持板６ａの前端部近傍位置まで前後方向の中心線の両側に略平行に延出して開口している。バネ部６ｃの幅は、支持軸６ｂの高さよりも僅かに狭く形成されており、下端面が支持板６ａから僅かに上方に位置し、上端面が支持軸６ｂの上端面よりも僅かに下方に位置している。これにより、バネ部６ｃは、変形可能とされている。
【００２２】
支持軸６ｂとバネ部６ｃとの間隔は、連結器本体２の係止部２ｃが回動自在に収容可能に設定されており、先端部６ｆ，６ｆの間隔は、連結器胴２ａの幅よりも僅かに狭く設定されている。そして、バネ部６ｃの先端部６ｆ，６ｆが連結器胴２ａの基端部側の両側部４ｄ，５ｄに当接可能とされている。
この下部支持部材６は、プラスチック等の樹脂部材により一体に形成されており、バネ部６ｃは弾性を有している。このように、下部支持部材６の支持板６ａと、支持軸６ｂ及びバネ部６ｃとを一体に形成することで、部品点数の低減を図ることが可能となると共に後述するように組み付けが容易となる。
【００２３】
上部支持部材７は、下部支持部材６の支持板６ａと略同じ大きさの板体をなし、支持軸６ｂと対応する位置に支持軸６ｂの内径と略同径の孔７ｂが設けられ、当該孔７ｂの内周面に係止爪６ｄと係合する係止孔７ｃが設けられている。また、下面の前側両側部に上部支持部材６の孔６ｅと対応して支持脚７ｄが形成され、その下端面に孔６ｅに嵌合する突起７ｅが形成されている。支持脚７ｄの長さは、下部支持部材６の支持軸６ｂと同じ長さとされている。
【００２４】
上部支持部材７の孔７ｂの前側にナックル部連結器部材４のガイドピン４ｅと係合するガイド溝７ｆが設けられている。このガイド溝７ｆは、孔７ｂ側から前端部の左右方向に向って延出する扁平な略Ｖ字形状に形成されている。このガイド溝７ｆは、ガイドピン４ｅと協働して上部支持部材７に連結器本体２を係止すると共に、車両が曲線部（カーブ）を走行するときに連結器本体２を曲線部に追従させながら支持部材３から引き出すためのガイド機構８を構成している。
【００２５】
また、上部支持部材７の後端部には車体の端部に固定するための取付部７ｇが形成されている。この上部支持部材７もプラスチック等の樹脂部材により形成されている。
次に、上記連結器１の組み付け及び作用について説明する。
まず、図２に示すように、受け部連結器部材５の連結器胴５ａ及び係止部５ｃ上にナックル部連結器部材４の連結器胴４ａ及び係止部４ｃを重ね合わせ、ストッパピン４ｆを長穴５ｆに係合させて連結器本体２を形成する。
【００２６】
次いで、図３に示すように、下部支持部材６の上方から支持軸６ｂとバネ部６ｃとの間に連結器本体２の係止部２ｃを収容すると共に、バネ部６ｃの先端部６ｆ，６ｆの間に連結器胴２ａを収容する。
このとき、バネ部６ｃの先端部６ｆ，６ｆは、連結器胴４ａ及び連結器胴５ａのテーパ状をなす側部４ｄ及び５ｄに弾性的に接することで、連結器胴４ａ及び５ａを基準位置に留め置くと共に内方に引き込む機能を有し、連結器本体２を図示の基準位置に保持する。
【００２７】
次いで、図２に示すように、上部支持部材７を連結器本体２の基端部側と係止部２ｃの上に被せて連結器本体２のガイドピン４ｅをガイド溝７ｆに係合し、支持軸６ｂの係止爪６ｄを係止孔７ｃに係合させると共に、支持脚７ｄの下端面に形成されている突起７ｅを下部支持部材６の孔６ｅに圧入する。
このようにして、下部支持部材６に上部支持部材７を固定し、これらの間に連結器本体２を収容することで、連結器１が形成される。
【００２８】
連結器本体２が図３に示す基準位置にある状態において、図４に示すように、ガイドピン４ｅがガイド溝７ｆの中央に位置しており、当該ガイドピン４ｅにより連結器本体２の支持部材３からの脱落を防止している。そして、連結器胴２ａの前端部側と、ナックル部４ｂ及び受け部５ｂが支持部材３の前端部３ａから突出しており、バネ部６ｃは、図５に示すように、その下端面及び上端面が下部支持部材６の支持板６ａ及び上部支持部材７から僅かに離れていて、変形を妨げないようになっている。
【００２９】
連結器本体２を形成しているナックル部連結器部材４の連結器胴４ａ及び係止部４ｃと、受け部連結器部材５の連結器胴５ａ及び係止部５ｃは、合致して重ね合わされており、バネ部６ｃのバネ力により、図１、図３及び図４に示すように、受け部５ｂがナックル部４ｂに対して開放部閉じ側の連結位置に保持されている。
この連結器１は、図４に２点鎖線で示す模型車両１０の端部１０ａに、上部支持部材７の取付部７ｇを図示しないねじで固定することで、支持部材３の前端部３ａが模型車両１０の端部１０ａと略面一を成すようにして取り付けられ、この状態において、連結器胴２ａの前端部側と、ナックル部４ｂ及び受け部５ｂとが当該模型車両１０の端部１０ａから突出する。これにより、連結器１は、実車に装備されている連結器と良く似た状態で取り付けられ、見栄えが向上する。
【００３０】
図４において、模型車両１０の連結器１の左側に図示しない模型車両の連結器が連結される。この連結される模型車両の連結器も連結器１と同様に形成されている。連結器１と相手側の連結器を連結する場合、連結器１の受け部５ｂと相手方の連結器の受け部が開放部閉じ側の連結位置に保持されている。この状態において連結器１を相手方の連結器に押し付けると、連結器１のナックル部４ｂが相手方の連結器の受け部を開放部開き側（横方向）に押し、同時に相手方の連結器のナックル部が当該連結器１の受け部５ｂを開放部開き側（横方向）に押す。
【００３１】
このように、連結器１は、受け部５ｂが開放部開き側に押されると、図３に示す連結器胴５ａがバネ部６ｃのバネ力に抗して回動し、受け部５ｂが図２に示すストッパピン４ｆと長穴５ｆによりナックル部４ｂに対して連結位置から解放位置まで変位する。そして、連結器１のナックル部４ｂが相手方のナックル部と係合すると、連結器胴５ａがバネ部６ｃのバネ力により開放部閉じ側に基準位置まで回動されて受け部５ｂが連結位置に復帰する。相手方の連結器についても同様である。これにより、連結器１と相手方の連結器とが連結される。
【００３２】
連結器１は、図４に示すように、連結器胴２ａの前端部側と、ナックル部４ｂ及び受け部５ｂが模型車両１０の端部１０ａから突出しているために、連結される車両間の間隔が実車の場合と同様に狭くなるが、模型車両が直線部を走行しているときには隣り合う模型車両の端部同士が干渉することはない。
図４において、模型車両１０が曲線部（カーブ）に至り、模型車両１０が例えば矢印Ａで示す斜め方向を向くと、これに伴い連結器本体２がバネ部６ｃのバネ力に抗して矢印Ｂ方向に揺動し、ガイドピン４ｅが図示のガイド溝７ｆの中央位置から曲線部の内側に位置する側のガイド溝７ｆ’内を矢印Ｃで示す前端部方向に移動する。すなわち、連結器本体２が矢印Ｄで示すように曲線部の内側に揺動すると共に支持部材３から引き出される。
【００３３】
このとき、連結器本体２は、図２及び図３に示すように、係止部２ｃが略Ｕ字形状をなして後部が開口されているので、支持軸６ｂに係止されることなく引き出される。連結器１に連結されている図示しない相手側の連結器も同様にして連結器本体が曲線部の内側に揺動すると共に支持部材から引き出される。
このように、連結器本体２を曲線部に追従させて揺動させることにより、車両を円滑に走行させることが可能となり、連結器本体２を支持部材３から引き出すことにより、連結された隣り合う車両間の間隔が広くなり、車両の端部同士が干渉することが阻止され、曲率半径の小さい曲線部でも良好に走行することが可能となる。また、曲率半径が小さい曲線部を走行する場合でも連結器の姿態の見栄えも良い。そして、車両が曲線部を通過して直線部に至ると、連結器１の連結器本体２がバネ部６ｃのバネ力により基準位置に復帰されて図４に示す状態に復帰する。
【００３４】
なお、上記実施形態では、連結器本体２を樹脂部材で形成したが、亜鉛合金やアルミニウム合金等の金属部材をダイカスト成形により形成してもよい。実際の車両に装着されている自動連結器は、連結器同士の連結面間に遊間（遊び）があることから、列車の発車時に機関車の連結器から最後尾の車両の連結器までの間で順次音が発生する。上記実施形態における模型車両の連結器１でも、連結器同士の連結面間に遊間（遊び）がある。そこで、連結器本体２を金属部材で形成するようになせば、模型車両の発車時に連結器同士間に音を発生させることが可能となり、使用者の趣味感を満足させることが可能となる。
【００３５】
また、上記実施形態において、連結器本体２は、連結器胴２ａを上下に分割し、上側の連結器胴４ａの先端部にナックル部４ｂを形成して、下側の連結器胴５ａの先端部に受け部５ｂを形成したが、これとは反対に上側の連結器胴４ａの先端部に受け部を形成して、下側の連結器胴５ａの先端部にナックル部を形成するようにしてもよい。
また、上側の連結器胴４ａの上面にガイドピン４ｅを突設し、上部支持部材７にガイド溝７ｆを形成してガイド機構８を形成するようにしたが、下側の連結器胴５ａの下面にガイドピンを突設し、下部支持部材６にガイド溝を形成するようにしてもよい。
さらに、ガイド溝は、扁平な略Ｖ字形状に限るものではなく、他の形状例えば円弧状或いは楕円形状に形成してもよい。
【符号の説明】
【００３６】
１    連結器（自動連結器）
２    連結器本体
２ａ    連結器胴
２ｃ    係止部
３    支持部材
３ａ    前端部
４    ナックル部連結器部材
４ａ    連結器胴
４ｂ    ナックル部
４ｃ    係止部
４ｄ    側部
４ｅ    ガイドピン
４ｆ    ストッパピン
５    受け部連結器部材
５ａ    連結器胴
５ｂ    受け部
５ｃ    係止部
５ｄ    側部
５ｆ    長穴
６    下部支持部材
６ａ    支持板
６ｂ    支持軸
６ｃ    バネ部
６ｄ    係止爪
６ｅ    孔
６ｆ    先端部
７    上部支持部材
７ｂ    孔
７ｃ    係止孔
７ｄ    支持脚
７ｅ    突起
７ｆ，７ｆ’    ガイド溝
７ｇ    取付部
８    ガイド機構
１０    模型車両
１０ａ    端部
【図１】
2011036539.tif 000003
【図２】
2011036539.tif 000004
【図３】
2011036539.tif 000005
【図４】
2011036539.tif 000006
【図５】
2011036539.tif 000007